(57)【要約】  本体部と支柱部との連結ならびに本体の落下防止用のワイヤを取り付けることを目的とした軸部の穴あけ加工が一度で済む扇風機を提供する。  扇風機１００は、軸部１１を有する本体部１と、柱状の支柱部３と、連結部材貫通穴６３が形成された本体側連結部材６と、を備え、軸部１１は軸部の軸方向に対して垂直な方向に貫通した軸部貫通穴１２が形成され、支柱部３は支柱部３の軸方向に対して垂直な方向に貫通した支柱部貫通穴３１が形成され、本体側連結部材６が軸部貫通穴１２と支柱部貫通穴３１とに挿入されることで本体部１と支柱部３とが連結され、軸部貫通穴１２と支柱部貫通穴３１と連結部材貫通穴６３には本体部１が床まで抑制することを防止するワイヤ７が挿入される。
2020240723.tif 000002
【特許請求の範囲】
【請求項１】
軸部を有し、前記軸部を中心に回転する本体部と、
柱状の支柱部と、
連結部材貫通穴が形成された本体側連結部材と、を備え、
前記軸部は、前記軸部の軸方向に対して垂直な方向に貫通した軸部貫通穴が形成され、
前記支柱部は、前記支柱部の軸方向に対して垂直な方向に貫通した支柱部貫通穴が形成され、
前記本体側連結部材が前記軸部貫通穴と前記支柱部貫通穴とに挿入されることで前記本体部と前記支柱部とが連結され、
前記軸部貫通穴と前記支柱部貫通穴と前記連結部材貫通穴には前記本体部が床まで落下することを抑制するワイヤが挿入される扇風機。
【請求項２】
天井構造物に固定される固定部と、
前記固定部と前記支柱部とを連結する天井側連結部材と、
を備え、
前記支柱部貫通穴は、前記支柱部の前記天井側連結部材により前記固定部と連結される部分よりも下方に形成される請求項１に記載の扇風機。
【請求項３】
一方の端部は前記天井構造物に固定され、他方の端部は前記天井構造物、前記支柱部、前記天井側連結部材または前記固定部のいずれかに固定され、前記一方の端部と前記他方の端部との間にある一部が前記軸部貫通穴と前記支柱部貫通穴と前記連結部材貫通穴との内部に位置する前記ワイヤを備える請求項２に記載の扇風機。
【請求項４】
前記支柱部は、中空であり、
前記支柱部の内部の空間と外部の空間とを連通する支柱部通し穴が、前記支柱部貫通穴よりも上方に形成される請求項１から請求項３のいずれか一項に記載の扇風機。
【請求項５】
前記支柱部通し穴と前記支柱部の内部の空間に前記ワイヤが挿入される請求項４に記載の扇風機。
【請求項６】
対向し合う二つの腕部と、前記腕部を連結する基部を有し、前記腕部にはそれぞれ腕部貫通穴が形成される回り止め部材を備え、
前記回り止め部材は前記腕部と前記基部とが前記支柱部を覆うように取り付けられ、
前記腕部貫通穴には前記本体側連結部材が挿入され、
前記本体部が回転する際に前記本体側連結部材の一部が前記腕部と接触する請求項１から請求項５のいずれか一項に記載の扇風機。
【請求項７】
前記本体側連結部材は、
前記軸部貫通穴と前記支柱部貫通穴とに挿入される連結管と、
前記連結管に取り付けられ、前記連結管が前記軸部貫通穴と前記支柱部貫通穴から抜けることを抑制する止めピンと、
を有し、
前記連結管には前記連結管の軸方向に平行な方向に貫通する前記連結部材貫通穴が形成される請求項１から請求項５までのいずれか一項に記載の扇風機。
【請求項８】
対向し合う二つの腕部と、前記腕部を連結する基部を有し、前記腕部にはそれぞれ腕部貫通穴が形成される回り止め部材を備え、
前記回り止め部材は前記腕部と前記基部とが前記支柱部を覆うように取り付けられ、
前記腕部貫通穴には前記連結管が挿入され、
前記本体部が回転する際に前記止めピンが前記腕部と接触する請求項７に記載の扇風機。
【請求項９】
前記本体側連結部材は、
軸部分が前記軸部貫通穴と前記支柱部貫通穴とに挿入されるボルトと、
前記ボルトの前記軸部分に嵌め合わされるナットと、
を有し、
前記ボルトは前記軸部分の軸方向に平行な方向に貫通する前記連結部材貫通穴が形成される請求項１から請求項５までのいずれか一項に記載の扇風機。
【請求項１０】
対向し合う二つの腕部と、前記腕部を連結する基部を有し、前記腕部にはそれぞれ腕部貫通穴が形成される回り止め部材を備え、
前記回り止め部材は前記腕部と前記基部とが前記支柱部を覆うように取り付けられ、
前記腕部貫通穴には前記ボルトの前記軸部分が挿入され、
前記本体部が回転する際に前記ボルトの頭部分または前記ナットが前記腕部と接触する請求項９に記載の扇風機。
【発明の詳細な説明】
【技術分野】
【０００１】
本開示は建築物の天井部付近の空気を送風する扇風機に関する。
【背景技術】
【０００２】
従来、建築物の天井に取り付けられ回転する羽根により天井付近の空気を下方へ送風する扇風機があった。このような扇風機は、天井に固定される固定部と、筒形状であり上端部が固定部に取り付けられる支柱部と、支柱部の下端部に固定される軸部を有し軸部を中心に回転する本体部と、本体部に固定され本体部と共に回転する羽根と、を有する。【０００３】
特に、特許文献１には、軸部（特許文献１の固定軸が相当）と支柱部（特許文献１の吊り下げパイプが相当）をねじによって連結し、さらに軸部と支柱部にはワイヤの両端をねじによって固定された構成の扇風機が開示されている。特許文献１には、当該構成によって軸部と支柱部の連結部分が破損しても、ワイヤによる連結が保たれ本体部が床まで落下しない効果を奏することが開示されている。
【先行技術文献】
【特許文献】
【０００４】
【特許文献１】特開昭６２−２４３９９０号公報
【発明の概要】
【発明が解決しようとする課題】
【０００５】
しかし、特許文献１に開示されている扇風機は、本体部と支柱部とを連結させるためのねじを挿入するための穴と、ワイヤの端部を固定するためのねじを挿入するための穴と、をそれぞれ軸部に設ける必要がある。このため、特許文献１に開示されている扇風機は、本体部と支柱部との連結ならびにワイヤを取り付けることを目的とした軸部の穴あけ加工を二度行う必要があり、扇風機の製造のコストが高価になる。【０００６】
本開示は、特許文献１に開示されている扇風機よりも安価に製造が可能である効果を奏する扇風機を提供することを目的とする。
【課題を解決するための手段】
【０００７】
本開示の一態様に係る扇風機は、軸部を有し軸部を中心に回転する本体部と、柱状の支柱部と、連結部材貫通穴が形成された本体側連結部材と、を備え、軸部は軸部の軸方向に対して垂直な方向に貫通した軸部貫通穴が形成され、支柱部は支柱部の軸方向に対して垂直な方向に貫通した支柱部貫通穴が形成され、本体側連結部材が軸部貫通穴と支柱部貫通穴とに挿入されることで本体部と支柱部とが連結され、軸部貫通穴と支柱部貫通穴と連結部材貫通穴には本体部が床まで落下することを抑制するワイヤが挿入される。
【発明の効果】
【０００８】
本開示の一態様に係る扇風機は、一つの軸部貫通穴に本体側連結部材とワイヤが挿入される。このため、本開示の一態様に係る扇風機は、本体部と支柱部との連結ならびにワイヤの取り付けを目的とした軸部の穴あけ加工が一度で済み、扇風機を安価に製造することが可能である効果を奏する。
【図面の簡単な説明】
【０００９】
【図１】実施の形態１に係る扇風機の斜視図である。
【図２】実施の形態１に係る扇風機の本体部と支柱部の連結部分を拡大した拡大斜視図である。
【図３】実施の形態１に係る扇風機の図２のＡ−Ａの破線ならびに軸部の軸方向に対してそれぞれ平行な断面における断面図である。
【図４】実施の形態２に係る扇風機の本体部と支柱部の連結部分を拡大した拡大斜視図である。
【図５】実施の形態３に係る扇風機の本体部と支柱部の連結部分を拡大した拡大斜視図である。
【図６】実施の形態３に係る扇風機の図５のＢ−Ｂの破線ならびに軸部の軸方向に対してそれぞれ平行な断面における断面図である。
【図７】実施の形態４に係る扇風機の本体部と支柱部の連結部分を拡大した拡大斜視図である。
【発明を実施するための形態】
【００１０】
実施の形態１．
図１は、実施の形態１に係る扇風機の斜視図である。図２は、実施の形態１に係る扇風機の本体部と支柱部の連結部分を拡大した拡大斜視図である。図３は、実施の形態１に係る扇風機の図２のＡ−Ａの破線ならびに軸部の軸方向に対してそれぞれ平行な断面における断面図である。実施の形態１に係る扇風機１００は、本体部１と、複数枚の羽根２と、支柱部３と、固定部４と、天井側連結部材５と、本体側連結部材６と、ワイヤ７と、カバー８とを備えている。また、扇風機１００は天井構造物２００に固定される。天井構造物２００は、建築物の天井板または垂木など、天井板そのものまたは屋根と天井板の間の空間である天井裏に配置された構造物のことである。実施の形態１では扇風機１００は天井板に固定されている。
【００１１】
本体部１はモータを備える。本体部１はモータの軸またはモータの軸と連結している部分である軸部１１を有する。本体部１は軸部１１を中心に回転する。本体部１のモータには図示を省略した電源配線によって商用電源と接続されている。モータが商用電源から電力の供給を受けることで本体部１は回転する。また、軸部１１には、軸部１１の軸方向に対して垂直な方向に貫通した軸部貫通穴１２が形成される。
【００１２】
複数の羽根２は長手方向が軸部１１の軸方向に対してほぼ垂直な方向へ延びるように本体部１にそれぞれ固定されている。複数の羽根２も本体部１と共に軸部１１を中心に回転する。羽根２が回転することにより、天井付近の空気が下方に送風される。
【００１３】
支柱部３は管状の部材である。支柱部３の下端部には、支柱部３の軸方向に対して垂直な方向に貫通した支柱部貫通穴３１と、支柱部３の内部の空間と外部の空間とを連通する支柱部通し穴３２が形成される。さらに支柱部通し穴３２は支柱部貫通穴３１よりも上方に形成される。また、支柱部３の内径は少なくとも軸部１１の外径よりも大きい。なお、管状とは、本開示においては中空である柱状のことを指す。
【００１４】
固定部４は天井構造物２００に固定される部材である。具体的には、固定部４はフック形状の吊り手を有する部材である。また、固定部４は吊り手が天井構造物２００から突出するように天井構造物２００に固定される。
【００１５】
天井側連結部材５は支柱部３と固定部４とを連結する部材である。具体的には、天井側連結部材５は支柱部３の上端部に固定されている。また、天井側連結部材５は固定部４の吊り手に支柱部３を吊り下げるための引っ掛け部分が形成される。固定部４の吊り手に天井側連結部材５の引っ掛け部分が引っ掛けられることによって、支柱部３と固定部４は連結される。
【００１６】
本体側連結部材６は本体部１と支柱部３とを連結する部材である。実施の形態１に係る扇風機１００では、本体側連結部材６は連結管６１と二つの止めピン６２とによって構成される。連結管６１は軸部貫通穴１２と支柱部貫通穴３１とに挿入される管状の部材である。連結管６１の長手方向の長さは少なくとも支柱部３の外径よりも長い。また、連結管６１には連結管６１の軸方向に対して平行に貫通した連結管貫通穴６３が形成される。さらに、連結管６１には連結管６１の軸方向に対して垂直に貫通した止めピン挿入穴６４が二ヶ所に形成されている。止めピン挿入穴６４同士の間隔は少なくとも支柱部３の外径よりも長い。また、止めピン６２は止めピン挿入穴６４に挿入され、連結管６１が軸部貫通穴１２と支柱部貫通穴３１から抜けることを抑制する。本体側連結部材６により本体部１と支柱部３を連結させる工程については詳細を後述する。
【００１７】
ワイヤ７は本体側連結部材６の破損などの要因によって本体部１が床に落下することを抑制する部材である。ワイヤ７の一方の端部は天井構造物２００に固定される。また、ワイヤ７の他方の端部は、軸部貫通穴１２と支柱部貫通穴３１と連結管貫通穴６３とに挿入された後、天井構造物２００に固定される。つまり、ワイヤ７の一方の端部と他方の端部との間にあるワイヤ７の一部が軸部貫通穴１２と支柱部貫通穴３１と連結管貫通穴６３との内部に位置する。ワイヤ７を取り付ける工程については詳細を後述する。
【００１８】
カバー８は本体部１の上面と、軸部１１と、支柱部３の下端部と、本体側連結部材６とを覆う部材である。なお、説明のため、図２ならびに図３ではカバー８を省略して図示する。
【００１９】
次に実施の形態１に係る扇風機１００において、本体側連結部材６により本体部１と支柱部３を連結させる工程について詳細を説明する。
【００２０】
まず、第一の工程として支柱部３の下端部側より支柱部３の内部の空間に軸部１１を挿入する。軸部１１を挿入した際に、軸部貫通穴１２と支柱部貫通穴３１とが連通する。
【００２１】
第一の工程の終了後、第二の工程として連通した軸部貫通穴１２と支柱部貫通穴３１とに連結管６１を挿入する。第二の工程において、軸部１１の軸方向ならびに支柱部３の軸方向と連結管６１の軸方向とが垂直になるよう連結管６１は挿入される。連結管６１を挿入した際に、二ヶ所の止めピン挿入穴６４がそれぞれ支柱部３より露出する。
【００２２】
第二の工程の終了後、第三の工程として露出している二ヶ所の止めピン挿入穴６４にそれぞれ止めピン６２を挿入する。止めピン６２を挿入することによって、連結管６１が軸部貫通穴１２と支柱部貫通穴３１より抜けることが抑制される。第三の工程が終了することによって、本体部１と支柱部３の連結が完了する。
【００２３】
次に実施の形態１に係る扇風機１００において、ワイヤ７を取り付ける工程について詳細を説明する。
【００２４】
まず、第一の工程としてワイヤ７の一方の端部を軸部貫通穴１２と支柱部貫通穴３１と連結管貫通穴６３に挿入する。ワイヤ７の一方の端部を軸部貫通穴１２と支柱部貫通穴３１と連結管貫通穴６３とに挿入した際に、ワイヤ７の一方の端部とワイヤ７の他方の端部との間にあるワイヤ７の一部が軸部貫通穴１２と支柱部貫通穴３１と連結管貫通穴６３との内部に位置する。
【００２５】
第一の工程の終了後、第二の工程としてワイヤ７の一方の端部とワイヤ７の他方の端部とを支柱部通し穴３２より支柱部３の内部の空間に挿入する。
【００２６】
第二の工程の終了後、第三の工程としてワイヤ７の一方の端部とワイヤ７の他方の端部とを支柱部３の上端部より支柱部３の外部に引き出す。
【００２７】
第三の工程の終了後、第四の工程としてワイヤ７の一方の端部とワイヤ７の他方の端部とをそれぞれ天井構造物２００に固定する。ここでワイヤ７の一方の端部とワイヤ７の他方の端部とを天井構造物２００に固定する方法は、あらゆる固定方法を用いて構わない。例えば垂木にワイヤ７を巻き付け、巻き付けたワイヤ７をワイヤクリップで固定する方法が挙げられる。第四の工程が終了することによって、ワイヤ７の取り付けが完了する。
【００２８】
本体部１と支柱部３を連結させる工程とワイヤ７を取り付ける工程はどちらを先に行ってもよく、また同時に行っても構わない。例えば、本体部１と支柱部３を連結させる工程を行ってからワイヤ７を取り付ける工程を行ってもよい。また、本体部１と支柱部３を連結させる工程の第二の工程の終了後に、ワイヤ７を取り付ける工程を行い、ワイヤ７を取り付ける工程の終了後に本体部１と支柱部３を連結させる工程の第三の工程を行ってもよい。
【００２９】
以上のように実施の形態１に係る扇風機１００は、軸部１１を有し軸部１１を中心に回転する本体部１と、柱状の支柱部３と、連結部材貫通穴（連結管貫通穴６３が相当）が形成された本体側連結部材６と、を備え、軸部１１は軸部１１の軸方向に対して垂直な方向に貫通した軸部貫通穴１２が形成され、支柱部３は支柱部３の軸方向に対して垂直な方向に貫通した支柱部貫通穴３１が形成され、本体側連結部材６が軸部貫通穴１２と支柱部貫通穴３１とに挿入されることで本体部１と支柱部３とが連結され、軸部貫通穴１２と支柱部貫通穴３１と連結部材貫通穴には本体部１が床まで落下することを抑制するワイヤ７が挿入される構成である。実施の形態１に係る扇風機１００は、この構成によって本体側連結部材６が破損してもワイヤ７によって本体部１が床まで落下しない効果を奏する。また、実施の形態１に係る扇風機１００はこの構成によって軸部１１の軸部貫通穴１２には本体側連結部材６とワイヤ７の両方が挿入され、一つの軸部貫通穴１２で本体側連結部材６による本体部１と支柱部３との連結ならびにワイヤ７の取り付けを行うことができる。従って、実施の形態に係る扇風機１００は、本体部１と支柱部３との連結ならびにワイヤ７の取り付けを目的とした軸部１１の穴あけ加工は一度で済み、特許文献１に開示されている扇風機よりも安価に製造することが可能である効果を奏する。さらに、特許文献１に開示されている扇風機のように軸部の二箇所に穴が設けられる場合と、実施の形態１に係る扇風機１００のように軸部１１の一箇所に穴が設けられる場合とでは、後者の方が軸部１０の長さを短くすることができる。従って、実施の形態１に係る扇風機１００はこの構成によって軸部１１の長さを短くすることができ、扇風機の小型化と、意匠デザインの自由度を広げることができる。
【００３０】
さらに、実施の形態１に係る扇風機１００は、付加的な構成として、天井構造物２００に固定される固定部４と、固定部４と支柱部３とを連結する天井側連結部材５と、を備え、支柱部貫通穴３１は、支柱部３の天井側連結部材５により固定部４と連結される部分よりも下方に形成される構成を備える。
【００３１】
さらに、実施の形態１に係る扇風機１００は、付加的な構成として、支柱部３は中空であり、支柱部３の内部の空間と外部の空間とを連通する支柱部通し穴３２が、支柱部貫通穴３１よりも上方に形成される構成を備える。実施の形態１に係る扇風機１００はこの付加的な構成によってワイヤ７を支柱部３の内部の空間に通すことができ、ワイヤ７が外部空間に露出する部分を減らすことができる。また、実施の形態１に係る扇風機１００は、この付加的な構成によって、ワイヤ７の端部を支柱部３の内部の空間を通して天井構造物２００に導く際に支柱部貫通穴３１に挿入される本体側連結部材６が邪魔にならず、施工が容易に行うことができる効果を奏する。
【００３２】
さらに、実施の形態１に係る扇風機１００は、付加的な構成として、本体側連結部材６は軸部貫通穴１２と支柱部貫通穴３１とに挿入される連結管６１と、連結管６１に取り付けられ連結管６１が軸部貫通穴１２と支柱部貫通穴３１から抜けることを抑制する止めピン６２と、を有し、連結管６１には連結管６１の軸方向に平行な方向に貫通する連結部材貫通穴（連結管貫通穴６３が相当）が形成される構成である。実施の形態１に係る扇風機１００は、この構成によって、スパナなどの工具を用いずに容易に本体部１と支柱部３の連結を行うことができる効果を奏する。
【００３３】
なお、実施の形態１に係る扇風機１００ではワイヤ７の両端部が天井構造物２００に固定されているが、これに限らない。例えば、ワイヤの端部を支柱部、天井側連結部材又は固定部のいずれかに固定しても、本体側連結部材が破損した際にワイヤは本体部が床まで落下することを抑制できる。
【００３４】
ただし、本体側連結部材と同時に天井側連結部材などの他の扇風機の構造物が破損する可能性がある。このため、少なくともワイヤの一方の端部は天井構造物に固定することが望ましい。実施の形態１に係る扇風機１００は、付加的な構成として、一方の端部は天井構造物２００に固定され、他方の端部は天井構造物２００、支柱部３、天井側連結部材５又は固定部４のいずれかに固定され、一方の端部と他方の端部との間の一部が軸部貫通穴１２と支柱部貫通穴３１と連結部材貫通穴（連結管貫通穴６３が相当）との内部に位置するワイヤ７を備える構成である。実施の形態１に係る扇風機１００は、この付加的な構成によって、より確実に本体部が床に落下を抑制することができる。
【００３５】
また、他方の端部が支柱部、天井側連結部材又は固定部のいずれかに固定されている場合、破損部位によっては本体部が床に落下してしまう可能性がある。このため、ワイヤの両方の端部が天井構造物に固定した方がより望ましい。実施の形態１に係る扇風機１００は、付加的な構成として、両方の端部が天井構造物２００に固定され、一方の端部と他方の端部との間の一部が軸部貫通穴１２と支柱部貫通穴３１と連結部材貫通穴（連結管貫通穴６３が相当）との内部に位置するワイヤ７を備える構成である。実施の形態１に係る扇風機１００は、この付加的な構成によって、より確実に本体部が床に落下を抑制することができる。
【００３６】
実施の形態２．
次に実施の形態２に係る扇風機１０１について説明する。実施の形態２に係る扇風機１０１は実施の形態１に係る扇風機１００と比較して、回り止め部材９を備える点が異なる。なお、実施の形態２に係る扇風機１０１は回り止め部材９を備える点を除く他の構成は実施の形態１に係る扇風機１００と同様であり、同様の構成については説明を割愛する。
【００３７】
図４は、実施の形態２に係る扇風機の本体部と支柱部の連結部分を拡大した拡大斜視図である。回り止め部材９は本体側連結部材６の回転を抑制する部材である。回り止め部材９は金属板の一方の端部と他方の端部とが同一方向に曲げ起こされ、略Ｕ字状に形成されている。回り止め部材９のうち、曲げ起こされた端部側の部分でありそれぞれ対向し合う部分を腕部９１と称し、腕部９１を連結している部分を基部９２と称する。二つの腕部９１には、それぞれ腕部貫通穴９３が形成されている。また、腕部貫通穴９３同士の間の距離は少なくとも連結管６１の止めピン挿入穴６４同士の間の距離よりも短い。
【００３８】
回り止め部材９は腕部９１と基部９２とで三方向から支柱部３を覆うように取り付けられる。腕部貫通穴９３には連結管６１とワイヤ７が挿入されている。さらに、本体部１が回転する際に腕部９１は止めピン６２と接触し、回り止め部材９は本体側連結部材６の回転を抑制する。
【００３９】
また、実施の形態２に係る扇風機１０１における本体側連結部材６により本体部１と支柱部３を連結させる工程には次に記載する工程が第一の工程と第二の工程の間に追加される。追加される工程では、回り止め部材９を三方向から支柱部３を覆うように取り付ける。回り止め部材９は、腕部貫通穴９３が軸部貫通穴１２と支柱部貫通穴３１と連通するように取り付けられる。その後、第二の工程では連通した腕部貫通穴９３と軸部貫通穴１２と支柱部貫通穴３１とに連結管６１が挿入される。
【００４０】
さらに、実施の形態２に係る扇風機１０１におけるワイヤ７を取り付ける工程では、第一の工程においてワイヤ７の一方の端部を軸部貫通穴１２と支柱部貫通穴３１と連結管貫通穴６３と腕部貫通穴９３に挿入する。
【００４１】
以上のように実施の形態２に係る扇風機１０１も、実施の形態１に係る扇風機と同じく、軸部１１を有し軸部１１を中心に回転する本体部１と、柱状の支柱部３と、連結部材貫通穴（連結管貫通穴６３が相当）が形成された本体側連結部材６と、を備え、軸部１１は軸部１１の軸方向に対して垂直な方向に貫通した軸部貫通穴１２が形成され、支柱部３は支柱部３の軸方向に対して垂直な方向に貫通した支柱部貫通穴３１が形成され、本体側連結部材６が軸部貫通穴１２と支柱部貫通穴３１とに挿入されることで本体部１と支柱部３とが連結され、軸部貫通穴１２と支柱部貫通穴３１と連結部材貫通穴には本体部１が床まで落下することを抑制するワイヤ７が挿入される構成である。従って、この構成によって、実施の形態２に係る扇風機１０１も、実施の形態１で述べた効果と同様の効果を奏する。
【００４２】
さらに、実施の形態２に係る扇風機１０１は、付加的な構成として、それぞれ対向し合う２つの腕部９１と腕部９１を連結する基部９２を有し、腕部９１にはそれぞれ腕部貫通穴９３が形成されている回り止め部材９を有し、回り止め部材９は腕部９１と基部９２が支柱部３を覆うように取り付けられ、腕部貫通穴９３には本体側連結部材６が挿入され、本体部１が回転する際に本体側連結部材６の一部（止めピン６２が相当）が腕部９１と接触する構成を備える。実施の形態２に係る扇風機１０１は、この付加的な構成によって本体側連結部材６が回転することを抑制している。また、本体側連結部材６が回転することを抑制することによって回転の摺動に起因する軸部１１と支柱部３と本体側連結部材６との摩耗を抑制することができる。
【００４３】
実施の形態３．
次に実施の形態３に係る扇風機１０２について説明する。実施の形態３に係る扇風機１０２は実施の形態１に係る扇風機１００と比較して、本体側連結部材６の構造が異なる。なお、実施の形態３に係る扇風機１０２は本体側連結部材６の構造を除く他の構成は実施の形態１に係る扇風機１００と同様であり、同様の構成については説明を割愛する。
【００４４】
図５は、実施の形態３に係る扇風機の本体部と支柱部の連結部分を拡大した拡大斜視図である。図６は、実施の形態３に係る扇風機の図５のＢ−Ｂの破線ならびに軸部の軸方向に対してそれぞれ平行な断面における断面図である。実施の形態３に係る扇風機１０２では、本体側連結部材６はボルト６５とナット６６とワッシャ６７によって構成される。ボルト６５の軸部分は軸部貫通穴１２と支柱部貫通穴３１とに挿入される。ボルト６５の軸部分の長さは少なくとも支柱部３の外径よりも長い。また、ボルト６５には軸部分の軸方向対して平行に貫通したボルト貫通穴６８が形成される。ナット６６はボルト６５の軸部分に嵌め合わされる。ボルト６５の頭部分とナット６６によって支柱部３は締め付けられている。また、ワッシャ６７は支柱部３とナット６６の間に位置しており、ナット６６が支柱部３に陥没することを抑制するために設けられる。
【００４５】
次に実施の形態３に係る扇風機１０２における本体側連結部材６により本体部１と支柱部３を連結させる工程について詳細を説明する。
【００４６】
まず、第一の工程として支柱部３の内部の空間に下方側より軸部１１を挿入する。軸部１１を挿入した際に、軸部貫通穴１２と支柱部貫通穴３１とが連通する。
【００４７】
第一の工程の終了後、第二の工程として連通した軸部貫通穴１２と支柱部貫通穴３１とにボルト６５の軸部分を挿入する。第二の工程において、軸部１１の軸方向ならびに支柱部３の軸方向とボルト６５の軸部分の軸方向とが垂直になるようボルト６５は挿入される。また、ボルト６５の軸部分側の端部は支柱部３より露出する。
【００４８】
第二の工程の終了後、第三の工程として露出しているボルト６５の軸部分側の端部にナット６６を嵌め合わせる。ナット６６を嵌め合わせることで、支柱部３はボルト６５の頭部分とナット６６によって締め付けられる。第三の工程が終了することによって、本体部１と支柱部３の連結が完了する。
【００４９】
実施の形態３に係る扇風機１０２におけるワイヤ７を取り付ける工程は、実施の形態１に係る扇風機１００におけるワイヤ７を取り付ける工程と比較して、連結管貫通穴６３がボルト貫通穴６８に変更される部分のみが異なる。このため、実施の形態３に係る扇風機１０２におけるワイヤ７を取り付ける工程については説明を割愛する。
【００５０】
以上のように実施の形態３に係る扇風機１０２も、実施の形態１に係る扇風機と同じく、軸部１１を有し軸部１１を中心に回転する本体部１と、柱状の支柱部３と、連結部材貫通穴（ボルト貫通穴６８が相当）が形成された本体側連結部材６と、を備え、軸部１１は軸部１１の軸方向に対して垂直な方向に貫通した軸部貫通穴１２が形成され、支柱部３は支柱部３の軸方向に対して垂直な方向に貫通した支柱部貫通穴３１が形成され、本体側連結部材６が軸部貫通穴１２と支柱部貫通穴３１とに挿入されることで本体部１と支柱部３とが連結され、軸部貫通穴１２と支柱部貫通穴３１と連結部材貫通穴には本体部１が床まで落下することを抑制するワイヤ７が挿入される構成である。従って、この構成によって、実施の形態３に係る扇風機１０２も、実施の形態１で述べた効果と同様の効果を奏する。
【００５１】
さらに、実施の形態３に係る扇風機１０２は、付加的な構成として、本体側連結部材６は、軸部分が軸部貫通穴１２と支柱部貫通穴３１とに挿入されるボルト６５と、ボルト６５の軸部分に嵌め合わされるナット６６と、を有し、ボルト６５は軸部分の軸方向に平行な方向に貫通する連結部材貫通穴（ボルト貫通穴６８が相当）が形成される構成である。実施の形態３に係る扇風機１０２は、この付加的な構成によって、実施の形態１に係る扇風機１００と比べてより強固に本体部１と支柱部３とを連結させることができる。
【００５２】
なお、実施の形態３に係る扇風機１０２では、本体側連結部材６はボルト６５とナット６６とワッシャ６７によって構成されるが、これに限らない。例えば、扇風機はワッシャを備えず、本体側連結部材はボルトとナットで構成されていても構わない。
【００５３】
実施の形態４．
次に実施の形態４に係る扇風機１０３について説明する。実施の形態４に係る扇風機１０３は実施の形態３に係る扇風機１０２と比較して、回り止め部材９を備える点が異なる。なお、実施の形態４に係る扇風機１０３は回り止め部材９を備える点を除く他の構成は実施の形態３に係る扇風機１０２と同様であり、同様の構成については説明を割愛する。
【００５４】
図７は、実施の形態４に係る扇風機の本体部と支柱部の連結部分を拡大した拡大斜視図である。回り止め部材９は本体側連結部材６の回転を抑制する部材である。実施の形態４に係る回り止め部材９は、実施の形態２に係る回り止め部材９と同様に、二つの腕部９１が基部９２より同一方向に曲げ起こされ、略Ｕ字状に形成されている。また、二つの腕部９１には、それぞれ腕部貫通穴９３が形成されている。腕部貫通穴９３同士の間の距離は少なくともボルト６５の軸部分の長さよりも短い。また、片側の腕部９１の腕部貫通穴９３の周囲にはボルト６５の頭部分が嵌り合う溝部９４が形成されている。実施の形態４に係る溝部９４はボルト６５の軸部分の軸方向にボルト６５の頭部分を投影した形状と略同じ六角形の形状の溝である。
【００５５】
回り止め部材９は腕部９１と基部９２とで三方向から支柱部３を覆うように取り付けられる。腕部貫通穴９３にはボルト６５とワイヤ７が挿入されている。さらに、本体部１が回転する場合において腕部９１はボルト６５の頭部分またはナット６６と接触し、回り止め部材９は本体側連結部材６の回転を抑制する。
【００５６】
また、実施の形態４に係る扇風機１０３における本体側連結部材６により本体部１と支柱部３を連結させる工程には次に記載する工程が第一の工程と第二の工程の間に追加される。追加される工程では、回り止め部材９を三方向から支柱部３を覆うように取り付ける。回り止め部材９は、腕部貫通穴９３が軸部貫通穴１２と支柱部貫通穴３１と連通するように取り付けられる。その後、第二の工程では連通した腕部貫通穴９３と軸部貫通穴１２と支柱部貫通穴３１とにボルト６５の軸部分が挿入される。
【００５７】
さらに、実施の形態４に係る扇風機１０３におけるワイヤ７を取り付ける工程では、第一の工程においてワイヤ７の一方の端部を軸部貫通穴１２と支柱部貫通穴３１とボルト貫通穴６８と腕部貫通穴９３に挿入する。
【００５８】
以上のように実施の形態４に係る扇風機１０３も、実施の形態１に係る扇風機と同じく、軸部１１を有し軸部１１を中心に回転する本体部１と、柱状の支柱部３と、連結部材貫通穴（ボルト貫通穴６８が相当）が形成された本体側連結部材６と、を備え、軸部１１は軸部１１の軸方向に対して垂直な方向に貫通した軸部貫通穴１２が形成され、支柱部３は支柱部３の軸方向に対して垂直な方向に貫通した支柱部貫通穴３１が形成され、本体側連結部材６が軸部貫通穴１２と支柱部貫通穴３１とに挿入されることで本体部１と支柱部３とが連結され、軸部貫通穴１２と支柱部貫通穴３１と連結部材貫通穴には本体部１が床まで落下することを抑制するワイヤ７が挿入される構成である。従って、この構成によって、実施の形態４に係る扇風機１０３も、実施の形態１で述べた効果と同様の効果を奏する。
【００５９】
さらに、実施の形態４に係る扇風機１０３は、付加的な構成として、それぞれ対向し合う２つの腕部９１と腕部９１を連結する基部９２を有し、腕部９１にはそれぞれ腕部貫通穴９３が形成されている回り止め部材９を有し、回り止め部材９は腕部９１と基部９２が支柱部３を覆うように取り付けられ、腕部貫通穴９３には本体側連結部材６が挿入され、本体部１が回転する際に本体側連結部材６の一部（ボルト６５の頭部分またはナット６６が相当）が腕部９１と接触する構成を備える。実施の形態４に係る扇風機１０３は、この付加的な構成によって本体側連結部材が回転することを抑制している。また、本体側連結部材６が回転することを抑制することによって回転の摺動に起因する軸部１１と支柱部３と本体側連結部材６との摩耗を抑制することができる。さらに、ボルト６５の頭部分とナット６６が腕部９１と接触しているため、腕部９１がワッシャの役割を果たす効果を奏する。
【００６０】
なお、本開示において本体側連結部材６は、実施の形態１ならびに実施の形態２では連結管６１と止めピン６２であり、実施の形態３ならびに実施の形態４ではボルト６５とナット６６であるが、これに限らない。本体側連結部材６は、軸部貫通穴１２と支柱部貫通穴３１に挿入することで本体部１と支柱部３を連結させることができ、さらにワイヤ７が挿入される連結部材貫通穴が形成されていればよい。
【００６１】
また、本開示において軸部１１には軸部貫通穴１２のみが形成されているが、これに限らない。本開示の扇風機は、本体部１と支柱部３との連結ならびにワイヤ７を取り付けることを目的とした軸部１１の穴あけ加工が一度で済む効果を奏すればよい。このため、本体部１と支柱部３との連結ならびにワイヤ７を取り付けること以外を目的とした穴が軸部１１に形成されて、軸部１１に複数の穴が開いていても構わない。
【符号の説明】
【００６２】
１  本体部、２  羽根、３  支柱部、４  固定部、５  天井側連結部材、６  本体側連結部材、７  ワイヤ、８  カバー、９  回り止め部材、１１  軸部、１２  軸部貫通穴、３１  支柱部貫通穴、３２  支柱部通し穴、６１  連結管、６２  止めピン、６３  連結管貫通穴、６４  止めピン挿入穴、６５  ボルト、６６  ナット、６７  ワッシャ、６８  ボルト貫通穴、９１  腕部、９２  基部、９３  腕部貫通穴、９４  溝部、１００〜１０３  扇風機、２００  天井構造物
【図１】
2020240723.tif 000003
【図２】
2020240723.tif 000004
【図３】
2020240723.tif 000005
【図４】
2020240723.tif 000006
【図５】
2020240723.tif 000007
【図６】
2020240723.tif 000008
【図７】
2020240723.tif 000009
【国際調査報告】
2020240723.tif 000010
2020240723.tif 000011
2020240723.tif 000012